(57)【要約】【課題】表示装置を屋外設置する際の電気工事の負荷を低減する。【解決手段】  屋外表示システム１００は、太陽電池１と、太陽電池１により得られた電力を蓄電する蓄電池２と、蓄電池２から電力供給を受け、コンテンツを表示する表示パネル３２を有する表示装置３を備える。また、表示装置３は、コンテンツを無線通信により受信する受信部３５、受信したコンテンツの表示を制御する制御部３１、及び表示制御部３７を備える。制御部３１は、蓄電池２の残容量に応じて、バックライトの輝度制御を行うものでも良い。【選択図】図２
2011253096.tif 000002
【特許請求の範囲】
【請求項１】
太陽電池と、
前記太陽電池により得られた電力を蓄電する蓄電部と、
該蓄電部から電力供給を受け、コンテンツを表示する表示部を有する表示装置と、
を備える、屋外表示システム。
【請求項２】
前記表示装置は、
コンテンツを表示する表示パネル、
コンテンツを無線通信により受信する受信部、
表示パネルへ光を照射するバックライト、
受信したコンテンツの表示パネルにおける表示を制御する制御部を備え、
制御部は、蓄電部の残容量に応じたバックライトの輝度制御を行う、請求項１に記載の屋外表示システム。
【請求項３】
前記表示装置は、
コンテンツを表示する表示パネル、
人物の有無又は属性を検出する検出部、
受信したコンテンツの表示パネルにおける表示を制御する制御部を備え、
制御部は、検出部の検出結果に応じた表示制御を行う、請求項１に記載の屋外表示システム。
【請求項４】
蓄電池から電力供給を受ける表示装置であって、
コンテンツを表示する表示パネル、
コンテンツを無線通信により受信する受信部、
表示パネルへ光を照射するバックライト、
受信したコンテンツの表示パネルにおける表示を制御する制御部、
蓄電池の残容量を検出する検出部を備え、
制御部は、検出部の検出結果に応じたバックライトの輝度制御を行う、表示装置。
【発明の詳細な説明】
【技術分野】
【０００１】
本発明は、屋外表示システム、及び表示装置に関する。特に太陽電池等の発電装置を備えており、バス停等、交通機関の停留所に用いて好適な屋外表示システムである。
【背景技術】
【０００２】
近年、デジタルサイネージと呼ばれる、表示と通信にデジタル技術を活用して平面ディスプレイ等によって映像や情報を表示する広告媒体が登場している。これらのサイネージ端末（広告媒体）はバス停等の公共交通機関の停留所にも用いられている（特許文献１）。
【特許文献１】特開2009-294284号公報（図３）
【発明の開示】
【発明が解決しようとする課題】
【０００３】
しかしながら、サイネージ端末を駆動するには、当然、電力を供給する必要がある。屋外に設置する場合、電力線から電力の供給を受ける必要があるため、設置作業の他、電気工事が必要となる。これがサイネージ端末普及の障害の１つとなっている。
【０００４】
本発明は、係る問題の解決を目的とする。
【課題を解決するための手段】
【０００５】
本発明のある態様は、屋外表示システムに関し、太陽電池と、前記太陽電池により得られた電力を蓄電する蓄電部と、該蓄電部から電力供給を受け、コンテンツを表示する表示部を有する表示装置と、を備える。
【０００６】
前記表示装置は、コンテンツを表示する表示パネル、コンテンツを無線通信により受信する受信部、表示パネルへ光を照射するバックライト、受信したコンテンツの表示パネルにおける表示を制御する制御部を備え、制御部は、蓄電部の残容量に応じたバックライトの輝度制御を行うものでも良い。
【０００７】
前記表示装置は、コンテンツを表示する表示パネル、人物の有無又は属性を検出する検出部、受信したコンテンツの表示パネルにおける表示を制御する制御部を備え、制御部は、検出部の検出結果に応じた表示制御を行う。
【０００８】
本発明の他の態様は、コンテンツを表示する表示パネル、コンテンツを無線通信により受信する受信部、表示パネルへ光を照射するバックライト、受信したコンテンツの表示パネルにおける表示を制御する制御部、蓄電池の残容量を検出する検出部を備え、制御部は、検出部の検出結果に応じたバックライトの輝度制御を行う。
【発明の効果】
【０００９】
本発明では、表示装置が、太陽電池により発電された電力により駆動するので、電力線から電力の供給が不要であり、設置時における電気工事の負担が軽減できる。
【発明を実施するための最良の形態】
【００１０】
図１は、本発明の実施例である屋外表示システム１０の外観図である。
【００１１】
屋外表示システム１０は、太陽電池１、蓄電池２、表示装置３、ポスター４、ベンチ５、屋根６を有する。また表示装置３の表面には人感センサ３３、カメラセンサ３４が配備されている。
【００１２】
太陽電池１は、受光した太陽光を光電変換することにより発電を行う。ここでは、太陽電池パネル等からなる太陽電池モジュール、及びインバータを総称している。太陽電池１により得られた電力は蓄電池２に蓄えられる。蓄電池２は、例えばリチウムイオンバッテリー（バッテリーパック）である。なお、太陽電池１と蓄電池２の間には、インバータや、蓄放電を制御するコントローラが介在していても良い。
【００１３】
表示装置３は、液晶パネル（ＬＣＤ）等の表示パネル３２（後述）を備えたＬＣＤディスプレイである。表示装置３は、外部のコンテンツサーバや放送局などから受信したコンテンツを表示する。また、バス停に設置されることに鑑み、表示装置３は、バスの路線図、バスの運行状況（例えば、バスが隣のバス停に到着した、等の運行状況）などを表示する。
【００１４】
尚、本実施形態では、表示装置３は、アンテナ（後述する受信部３５に含まれる）を備えており、コンテンツを無線により受信することができる。
【００１５】
このように表示装置３は、太陽電池１により発電された電気により駆動し、電力線からの電力供給を受けない。表示装置３は、いわばオフグリッドで動作する。よって、電力線から電力を引き込むための電気工事が不要である。また、コンテンツを無線により受信することができるので、ネットワーク（ＬＡＮ又はＷＡＮ）に接続するための有線を設置する工事も不要である。このように、本実施形態の屋外表示システム１０によれば、設置工事の負担を大きく低減できるので、屋外におけるサイネージ端末の普及に資するところ大である。
【００１６】
また、表示装置３の表面（画像表示部分の下方）には、人感センサ３３、カメラセンサ３４が配置されている。
【００１７】
人感センサ３３は、バス停における人物の有無を検知するためのものであり、例えば赤外線センサなどを用いる。例えば、人感センサ３３により、人物がいないと判断した場合は、表示装置３は、バックライト３９の照度を落とすか、バックライト３９そのものをオフにする。これにより電力の低減化を図る。
【００１８】
カメラセンサ３４は、撮像した画像を画像処理することにより、バス停にいる人物の性別の判断を行う。例えば、バス停にいる人物が女性であると判断したら表示部には化粧品の広告が、男性であると判断したら表示部にはビールの広告が表示される。
【００１９】
ポスター４は、広告が印刷された光透過性の広告フィルムと、これを内側（表示面と反対側）から照射する白熱灯を有する。尚、ポスター４は、広告を表示する点では表示装置３と共通するが、表示装置３は、受信部が受信したコンテンツ内容に応じて動画として表示内容が時々刻々変化するのに対し、ポスター４は印刷物を表示し、基本的に静止画であって表示内容は変化しない点で相違する。
【００２０】
ベンチ５は、バスを待つ人が座るためのものであり、表示装置３の正面側に配置される。表示装置３が、その背面が車道側となるように配置されている場合、ベンチ５に座る人物は、表示装置３に表示される広告コンテンツを見ながらバスを待つこととなる。逆に、表示装置３が、その表示面が車道を向くように配置されている場合、車道を走る乗用車の助手席、バスの乗客、又は反対側の歩道の人が広告コンテンツを視聴可能である。勿論、ベンチ５に座っている人でも、車道を背にして座れば、広告コンテンツを視聴できる。
【００２１】
屋根６は、表示装置３の上方に配備されており、バスを待つ人、或いは表示装置３に対する日よけ、雨よけとして作用する。また、屋根６の上には、太陽電池１、蓄電池２が配備されるので、屋根６はこれらの設置台としての機能も果たす。なお、本実施形態では、太陽光が照射する方角を考慮し、太陽電池１の受光面は屋根６に対し若干傾斜して配置される。蓄電池２は、太陽電池１と屋根６の間に配備される。即ち、太陽電池１が屋根６に対して傾斜したことにより生じる三角柱上のスペースを利用して配備される。
【００２２】
図２は、屋外表示システム１０の構成を示すブロック図である。図１とも説明が一部重複するが、屋外表示システム１０は、太陽電池１、蓄電池２、表示装置３を備える。表示装置３は、制御部３１、表示パネル３２、人感センサ３３、カメラセンサ３４、受信部３５、蓄積部３６、表示制御部３７、電源回路３８、バックライト３９、タッチパネル４０を備える。
【００２３】
太陽電池１により発電した電力は、蓄電池２で蓄電される。また、太陽電池１は、発電状況を示す情報を、表示装置３へ送信する。蓄電池２は、表示装置３に対し電力を供給する。また、蓄電池２は、自身の残容量に関する情報を表示装置３へ送信する。上述のように、本実施形態の表示装置３は、電力線からの電力供給を受けることはなく、いわばオフグリッドで動作する。即ち、表示装置３の駆動に必要な電力は全て蓄電池２から供給される。したがって、太陽電池１の仕様は、表示装置３の消費電力を考慮して選択、設計される。具体的には、まず表示装置３の消費電力を考慮して、太陽電池１に必要な発電量を決定する必要がある。次に、太陽電池の発電効率を考慮して、太陽電池の大きさ（表面積）を決定する必要がある。また、夜間や雨天など、日光が照射しないケースを想定して、蓄電池２の容量を決定する必要がある。
【００２４】
制御部３１は、表示装置３の各部（表示パネル３２〜タッチパネル４０）に対する制御、各部の状態情報の収集を行う。また、収集した状態情報に応じて、各部の制御を行う。また、太陽電池１から入力される発電状況情報や、蓄電池２から入力される残容量情報も制御部３１に入力される。制御部３１は、ＣＰＵにより構成される。
【００２５】
表示パネル３２は、実際に画像の表示を行う部分であり、本実施形態の表示装置３では、液晶表示パネルが用いられている。液晶表示パネルは、表示する画像の内容に応じてパネルの各画素に対応する液晶がオン・オフ（又はその中間状態に）駆動される。
【００２６】
人感センサ３３は、上述のとおり、バス停における人物の有無を検知するためのものである。カメラセンサ３４は、上述の通り、バス停にいる人物の性別の判断を行う目的等で設けられている。人感センサ３３、カメラセンサ３４は、制御部３１と接続されており、これらのセンサでの検知結果は制御部３１に入力される。
【００２７】
受信部３５は、外部のコンテンツサーバ（例えば、ＡＳＰサーバ、パソコンなど）、あるいは放送局から無線通信（例えば、ＷｉＭＡＸ、ＩＥＥＥ８０２．１１ｂ／ｇなどの方式）により送信される信号を受信するアンテナと、アンテナで受信した信号に対し復調処理などを行う信号処理部などを備える。例えば、無線信号がＯＦＤＭ方式により変調されて伝送された、ＭＰＥＧ２−ＴＳ形式の信号であれば、受信部３５はＯＦＤＭ復調を行い、ＭＰＥＧ２−ＴＳ信号を抽出する。抽出されたＭＰＥＧ２−ＴＳ信号は、蓄積部３６へ出力される。
【００２８】
蓄積部３６は、受信部３５により抽出されたＭＰＥＧ２−ＴＳ信号を保存する。即ち、コンテンツサーバや放送局から送信されたコンテンツを保存する。コンテンツがリアルタイムコンテンツである場合（受信したコンテンツを即時に表示パネル３２で表示するような場合）、蓄積部３６は、バッファメモリとして機能する。コンテンツが、ユーザの操作に応じて表示されるコンテンツ、或いは予め設定されたタイムスケジュールに基づいて表示されるコンテンツである場合、蓄積部３６は、ストレージメディアとして機能する。
【００２９】
表示制御部３７は、表示パネル３２における表示制御を行う。具体的には、表示させるコンテンツの内容に応じて、表示パネル３２（液晶表示パネル）の各画素に対応する液晶の変調を行う。表示制御部３７は高速な処理を必要とするため、ＣＰＵにより構成される制御部３１とは別に設けられた専用のハードウエア回路により実現される。
【００３０】
電源回路３８は、表示装置３の各部に対し電源供給を行う。なお、表示パネル３２、バックライト３９における消費電力が、他の部分と比較して大きいことに鑑み、図２では、電源回路３８は、表示パネル３２、バックライト３９に対してのみ電源供給を行うごとく記述している。しかし、実際は、電源回路３８は、受信部３５、蓄積部３６、表示制御部３７、人感センサ３３、カメラセンサ３４、タッチパネル４０などにも電力を供給する。
【００３１】
バックライト３９は、表示パネル３２に白色光を照射する。バックライト３９は、例えば冷陰極管（ＣＣＦＬ）、ＬＥＤ光源が用いられる。本実施形態の表示装置３は、オフグリッドで使用されるため、低消費電力化が望まれている。そのため、ＬＥＤ光源が用いられることが好ましい。
【００３２】
タッチパネル４０は、表示パネル３２の前面側に配置される、透明の静電容量型のタッチセンサである。このタッチパネル４０はユーザからの入力を受け付ける。例えば、表示パネル３２が、ユーザに三択させるためのボタン画像を表示している場合、ユーザが、タッチパネル４０のボタン画像に対応する位置をタッチした場合、ユーザによる入力がなされたものとみなす。
【００３３】
図３は、表示装置３による表示処理の一例を示すフローチャートである。一概に表示処理といっても、多種多様なものがある。ここでは、本発明の表示装置３に特有の処理である、蓄電池２の残容量に応じた表示処理について説明する。
【００３４】
ステップＳ１では、制御部３１は、蓄電池２から入力された残容量Ｒの情報を確認する。続くステップＳ２では、残容量Ｒが、所定の容量ＲＴＨ未満か否かを判定する。ＲＴＨ以上である場合（ステップＳ２でｎｏと判断した場合）、蓄電池２の残容量はまだ十分に大きいため、通常の輝度制御を行う。具体的には、バックライトの輝度は通常値に設定される。残容量Ｒが、所定の容量ＲＴＨ未満（ステップＳ２でｙｅｓと判断した場合）、続くステップＳ３へ進む。
【００３５】
ステップＳ３では、制御部３１は、太陽電池１からの入力に基づいて、現在の太陽電池１の発電量Ｐを確認する。ステップＳ４では、発電量Ｐが所定の発電ＰＴＨより大きいか否かを判定する。ＰＴＨより大きい場合（ステップＳ４でｙｅｓと判断した場合）は、太陽が照射している状態であり、太陽電池１は発電している状態である。よって、蓄電池２の残容量は小さいものの、太陽電池１が発電状態であるので、蓄電池２の電気が消失する恐れはないとの前提の下、通常の輝度制御を行う。一方、夜間、或いは曇り、雨天など、太陽が照射していない場合は、発電量Ｐは所定の発電ＰＴＨより小さくなる（この場合、ステップＳ４でｎｏと判断される）。したがって、表示装置３を駆動し続けると、そのうち蓄電池２の残容量がゼロになってしまうので、電力消費を節約すべく、バックライトの輝度を通常よりも低めに設定する。
【００３６】
以上、実施例を用いて、本発明の例を説明した。なお、これらの実施例は特許請求の範囲に記載の発明を限定し、或は範囲を減縮する様に解すべきではなく、また、本発明の各部構成は上記実施例に限らず、特許請求の範囲に記載の技術的範囲内で種々の変形が可能であることは勿論である。
【００３７】
例えば、表示装置３の輝度制御は上記のフローチャートに限られるものではない。昼間は太陽光とのコントラストとの関係上、表示パネル３２の視認性が低下するため、バックライト３９の輝度を高めに設定しても良い。逆に夜間は、周囲とのコントラストが大きくなるので、バックライト３９の輝度を低めに設定しても良い。また夜間にバックライト３９の輝度を低くすることは、太陽電池１が発電不能であることを考慮すると、好適な制御である。また、外気温に応じてバックライト３９の輝度を変えるようにしても良い。例えば、外気温が高い場合、表示装置３内部の温度も高くなるため、表示パネル３２の液晶や、各電気回路の動作に支障をきたす恐れがある。そこで、バックライト３９からの発熱を抑えるために、外気温が高い場合はバックライト３９の輝度を低めに設定しても良い。また、外気温が低いものの、表示装置３の筐体内部の温度が高い場合にも、バックライト３９の輝度を低めに設定しても良い。
【００３８】
また、上記実施例では、人感センサ３３、カメラセンサ３４と２つのセンサが設けられているが、カメラセンサ３４が人感センサ３３の機能を兼用しても良い。即ち、赤外線により人物有無を検知する代わりに、カメラが撮像した画像から人物有無を検地するようにしても良い。
【００３９】
なお、表示装置３の表示部の例として液晶表示パネルを例に説明したが、これに代えて、プラズマパネル、有機ＥＬ。また、電子ペーパー、ＣＲＴ、或いは広告フィルムなどでも良い。
【００４０】
また、上記実施例では、表示装置３の輝度制御は表示装置３内の制御部３１が行うものとしているが、これに代えて、表示装置３とは別体の専用コントローラにより制御するものであっても良い。
【図面の簡単な説明】
【００４１】
【図１】屋外表示システム１０の外観図である。
【図２】屋外表示システム１０の構成を示すブロック図である。
【図３】表示装置３による表示処理の一例を示すフローチャートである。
【符号の説明】
【００４２】
１  太陽電池
２  蓄電池
３  表示装置
４  ポスター
５  ベンチ
６  屋根
３３  人感センサ
３４  カメラセンサ
【図１】
2011253096.tif 000003
【図２】
2011253096.tif 000004
【図３】
2011253096.tif 000005